Podtech/llm-jp-corpus-v4-ja_patent huggingface dataset:
【手続補正書】
【提出日】平成28年8月10日(2016.8.10)
【手続補正１】
【補正対象書類名】特許請求の範囲
【補正対象項目名】全文
【補正方法】変更
【補正の内容】
【特許請求の範囲】
【請求項１】
所定の始動条件が満たされたことに基づいて判定を行う判定手段と、
前記判定手段の判定結果が特別の結果であることに基づいて遊技者に対して利益を付与する利益付与手段と、
演出表示される演出表示手段と、
前記演出表示手段での演出を制御する演出制御手段と、
遊技者により操作される操作部と、を備え、
前記演出制御手段は、
前記操作部の操作を指示する操作指示画像を前記演出表示手段の特定領域に表示する第１演出手段、および
前記操作指示画像が表示される前記特定領域に向かうように該特定領域外に前記操作指示画像とは異なる演出画像を表示する第２演出手段を備え、
前記第２演出手段により前記演出画像が表示された後に前記第１演出手段による前記操作指示画像の表示が行われ、
前記操作指示画像が表示された後に遊技者により前記操作部が操作されたことに基づき特定演出が実行され、
前記操作指示画像は、所定の表示期間が経過したことに応じて非表示とされる
ことを特徴とする遊技機。
【請求項２】
請求項１に記載の遊技機において、
所定の発光演出が行われるランプ装置をさらに備える
ことを特徴とする遊技機。
【請求項３】
請求項１または２に記載の遊技機において、
所定の音響演出が行われるスピーカ装置をさらに備える
ことを特徴とする遊技機。
【手続補正２】
【補正対象書類名】明細書
【補正対象項目名】０００８
【補正方法】変更
【補正の内容】
【０００８】
手段１：所定の始動条件が満たされたことに基づいて判定を行う判定手段と、
前記判定手段の判定結果が特別の結果であることに基づいて遊技者に対して利益を付与する利益付与手段と、
演出表示される演出表示手段と、
前記演出表示手段での演出を制御する演出制御手段と、
遊技者により操作される操作部と、を備え、
前記演出制御手段は、
前記操作部の操作を指示する操作指示画像を前記演出表示手段の特定領域に表示する第１演出手段、および
前記操作指示画像が表示される前記特定領域に向かうように該特定領域外に前記操作指示画像とは異なる演出画像を表示する第２演出手段を備え、
前記第２演出手段により前記演出画像が表示された後に前記第１演出手段による前記操作指示画像の表示が行われ、
前記操作指示画像が表示された後に遊技者により前記操作部が操作されたことに基づき特定演出が実行され、
前記操作指示画像は、所定の表示期間が経過したことに応じて非表示とされる
ことを特徴とする遊技機。
【手続補正３】
【補正対象書類名】明細書
【補正対象項目名】０００９
【補正方法】削除
【補正の内容】
【手続補正書】
【提出日】平成28年8月10日(2016.8.10)
【手続補正１】
【補正対象書類名】特許請求の範囲
【補正対象項目名】全文
【補正方法】変更
【補正の内容】
【特許請求の範囲】
【請求項１】
所定の始動条件が満たされたことに基づいて判定を行う判定手段と、
前記判定手段の判定結果が特別の結果であることに基づいて遊技者に対して利益を付与する利益付与手段と、
遊技者により操作される操作部と、
演出画像が表示される演出表示手段と、
前記操作部を用いた演出を実行可能な演出制御手段と、を備え、
前記演出制御手段は、
前記操作部の操作を受け付け可能とする受付期間において前記操作部の操作を促す操作指示画像を前記演出表示手段に表示するとともに、該操作部の操作が前記受付期間においてなされたことに応じて所定の演出を行うものであり、
前記操作指示画像が表示されるよりも前に、該操作指示画像が表示されることとなる領域を示唆する示唆演出を前記演出表示手段において実行可能である
ことを特徴とする遊技機。
【請求項２】
請求項１に記載の遊技機において、
所定の発光演出が行われるランプ装置をさらに備える
ことを特徴とする遊技機。
【請求項３】
請求項１または２に記載の遊技機において、
所定の音響演出が行われるスピーカ装置をさらに備える
ことを特徴とする遊技機。
【手続補正２】
【補正対象書類名】明細書
【補正対象項目名】０００９
【補正方法】変更
【補正の内容】
【０００９】
手段１：所定の始動条件が満たされたことに基づいて判定を行う判定手段と、
前記判定手段の判定結果が特別の結果であることに基づいて遊技者に対して利益を付与する利益付与手段と、
遊技者により操作される操作部と、
演出画像が表示される演出表示手段と、
前記操作部を用いた演出を実行可能な演出制御手段と、を備え、
前記演出制御手段は、
前記操作部の操作を受け付け可能とする受付期間において前記操作部の操作を促す操作指示画像を前記演出表示手段に表示するとともに、該操作部の操作が前記受付期間においてなされたことに応じて所定の演出を行うものであり、
前記操作指示画像が表示されるよりも前に、該操作指示画像が表示されることとなる領域を示唆する示唆演出を前記演出表示手段において実行可能である
ことを特徴とする遊技機。
【手続補正書】
【提出日】平成28年8月10日(2016.8.10)
【手続補正１】
【補正対象書類名】特許請求の範囲
【補正対象項目名】全文
【補正方法】変更
【補正の内容】
【特許請求の範囲】
【請求項１】
所定の始動条件が満たされたことに基づいて判定を行う判定手段と、
前記判定手段の判定結果が特別の結果であることに基づいて遊技者に対して利益を付与する利益付与手段と、
演出表示される演出表示手段と、
受付期間を設定可能であり、該受付期間においては操作指示画像が表示されるとともに遊技者による操作が行われると演出受付けがなされ、該演出受付けがなされたことに基づいて演出を出現させる制御を実行可能な受付演出制御手段と
を備え、
前記受付演出制御手段により設定される受付期間として、時間長さの異なる複数の受付期間が用意されており、
前記受付演出制御手段は、
前記複数の受付期間のうちの第１の受付期間が設定される演出表示を実行する場合と、前記複数の受付期間のうちの第２の受付期間が設定される演出表示を実行する場合とで、前記演出表示手段において現れる演出表示の態様を異ならせる
ことを特徴とする遊技機。
【請求項２】
請求項１に記載の遊技機において、
所定の発光演出が行われるランプ装置をさらに備える
ことを特徴とする遊技機。
【請求項３】
請求項１または２に記載の遊技機において、
所定の音響演出が行われるスピーカ装置をさらに備える
ことを特徴とする遊技機。
【手続補正２】
【補正対象書類名】明細書
【補正対象項目名】０００９
【補正方法】変更
【補正の内容】
【０００９】
手段１：所定の始動条件が満たされたことに基づいて判定を行う判定手段と、
前記判定手段の判定結果が特別の結果であることに基づいて遊技者に対して利益を付与する利益付与手段と、
演出表示される演出表示手段と、
受付期間を設定可能であり、該受付期間においては操作指示画像が表示されるとともに遊技者による操作が行われると演出受付けがなされ、該演出受付けがなされたことに基づいて演出を出現させる制御を実行可能な受付演出制御手段と
を備え、
前記受付演出制御手段により設定される受付期間として、時間長さの異なる複数の受付期間が用意されており、
前記受付演出制御手段は、
前記複数の受付期間のうちの第１の受付期間が設定される演出表示を実行する場合と、前記複数の受付期間のうちの第２の受付期間が設定される演出表示を実行する場合とで、前記演出表示手段において現れる演出表示の態様を異ならせる
ことを特徴とする遊技機。
【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
行単位で電荷の解放または蓄積が可能な放射線検出器から取得した放射線画像を処理する画像処理装置であって、
前記放射線画像においてアーチファクトが発生した補正対象行の近隣行の画素値に基づいて、前記補正対象行の各画素の目標値を設定する目標値設定手段と、
前記補正対象行の各画素の画素値と前記目標値とに基づいて、前記補正対象行の画素のうち補正係数を算出するために使用する画素を有効画素として選定する画素選定手段と、
前記有効画素の画素値と前記目標値とを用いて前記補正係数を導出し、当該補正係数に基づいて前記補正対象行を補正する補正手段と、
を備えることを特徴とする画像処理装置。
【請求項２】
前記補正手段は、前記補正対象行の画素値と前記目標値と前記補正係数とを用いて、前記補正対象行を補正することを特徴とする請求項１に記載の画像処理装置。
【請求項３】
前記画素選定手段は、
前記補正対象行の画素値と前記目標値とに基づいて、仮補正係数を導出する仮補正係数導出手段と、
前記仮補正係数の分布を求める補正係数分布導出手段と、
前記仮補正係数の分布に基づいて前記有効画素を選定する有効画素選定手段と、
を備えることを特徴とする請求項１または２に記載の画像処理装置。
【請求項４】
前記有効画素選定手段は、
前記仮補正係数の分布に基づいて前記仮補正係数の特徴値を算出し、
前記仮補正係数導出手段により各画素について他の２つの画素との組み合わせから導出された２つの仮の補正係数うち少なくとも一方が前記特徴値から閾値範囲内である場合、当該画素を前記有効画素として選定することを特徴とする請求項３に記載の画像処理装置。
【請求項５】
前記仮補正係数導出手段は、
前記目標値に基づいて前記補正対象行の各画素をソートし、
前記ソートされた各画素について異なる画素値を有する画素を複数抽出して画素の組み合わせを作成し、
各画素の前記組み合わせに対してそれぞれ前記仮補正係数を導出することを特徴とする請求項３または４に記載の画像処理装置。
【請求項６】
前記目標値設定手段は、
前記補正対象行の画素値と、当該画素の近隣画素の画素値との勾配を導出し、
前記近隣画素の画素値からノイズ量を導出し、
前記勾配と前記ノイズ量とに基づいて前記目標値を設定することを特徴とする請求項１乃至５の何れか１項に記載の画像処理装置。
【請求項７】
前記画素選定手段は、前記放射線検出器の放射線量と画素値との線形性を満たさない飽和画素値以上の画素を無効画素と判定し、前記有効画素から除外することを特徴とする請求項１乃至６の何れか１項に記載の画像処理装置。
【請求項８】
目標値設定手段と、画素選定手段と、補正手段とを備えており、行単位で電荷の解放または蓄積が可能な放射線検出器から取得した放射線画像を処理する画像処理装置の制御方法であって、
前記目標値設定手段が、前記放射線画像においてアーチファクトが発生した補正対象行の近隣行の画素値に基づいて、前記補正対象行の各画素の目標値を設定する目標値設定工程と、
前記画素選定手段が、前記補正対象行の各画素の画素値と前記目標値とに基づいて、前記補正対象行の画素のうち補正係数を算出するために使用する画素を有効画素として選定する画素選定工程と、
前記補正手段が、前記有効画素の画素値と前記目標値とを用いて前記補正係数を導出し、当該補正係数に基づいて前記補正対象行を補正する補正工程と、
を有することを特徴とする画像処理装置の制御方法。
【請求項９】
請求項８に記載の画像処理装置の制御方法の各工程をコンピュータに実行させるためのプログラム。
【請求項１０】
行単位で電荷の解放または蓄積が可能な放射線検出器から取得した放射線画像を処理する画像処理装置であって、
前記放射線画像においてアーチファクトが発生した補正対象行の近隣行の画素値に基づいて、前記補正対象行の各画素の目標値を設定する目標値設定手段と、
前記有効画素の画素値と前記目標値とを用いて補正係数を導出し、当該補正係数に基づいて前記補正対象行を補正する補正手段と、を備え
前記目標値設定手段は、アーチファクトに干渉する周波数成分を低減する周波数低減処理を行うこと特徴とする画像処理装置。
【請求項１１】
放射線の照射開始を検知する検知手段と、前記検知手段により放射線の照射開始が検知されると、電荷の解放を止めて電荷の蓄積動作に移行する駆動制御手段とを有し、行単位で電荷の解放または蓄積が可能な放射線撮影装置から取得した放射線画像を処理する画像処理装置であって、
前記放射線の検知対象行以降における複数行の画素値から画素値の勾配を算出し、前記検知対象行の画素において本来取ると推測される画素値に関する目標値を設定する目標値設定手段と、
前記目標値に基づいて、前記放射線の検知対象行の画素の画素値を補正する補正手段と
を備えることを特徴とする画像処理装置。
【請求項１２】
放射線の照射開始を検知する検知手段と、前記検知手段により放射線の照射開始が検知されると、電荷の解放を止めて電荷の蓄積動作に移行する駆動制御手段とを有し、行単位で電荷の解放または蓄積が可能な放射線撮影装置から取得した放射線画像を処理する画像処理装置であって、
前記放射線の検知対象行の次の複数行における画素値から前記検知対象行以前の行における画素で本来取ると推測される画素値に関する目標値を設定する目標値設定手段と、
前記目標値に基づいて、前記放射線の検知対象行以前の行における画素の画素値を補正する補正手段と
を備えることを特徴とする画像処理装置。
【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
遊技媒体を用いて遊技が行われる遊技機であって、
複数の発光源を有する発光手段と、
該発光手段の前側に配置されて第１の装飾を有するカバー部材と、
前記発光手段と前記カバー部材との間に配置され、前記発光手段から照射される光に応じて装飾される第２の装飾を有するカバー内装飾部材と、
該発光手段を発光制御する発光制御手段と、を備え、
前記発光制御手段は、前記発光手段を発光制御することで、前記カバー部材の前記第１の装飾と、前記カバー内装飾部材の前記第２の装飾と、を組み合わせた立体的な装飾を実現し得る
ことを特徴とする遊技機。
【手続補正２】
【補正対象書類名】明細書
【補正対象項目名】０００２
【補正方法】変更
【補正の内容】
【０００２】
近年の遊技機では大当り遊技状態として大当り図柄の種類に応じて実行されるラウンド数を異ならせることによって獲得可能な賞球数が異なる複数種類の大当り遊技状態に制御するものが提案されている。このような遊技機では演出用部材を発光させることで大当り遊技状態の発生に対する期待を高めるようにしている（例えば特許文献１）。
【手続補正３】
【補正対象書類名】明細書
【補正対象項目名】０００４
【補正方法】変更
【補正の内容】
【０００４】
しかしながら、上記遊技機のような従来と同様の構成では、斬新さに欠け、遊技興趣を低下させるおそれがあった。
【手続補正４】
【補正対象書類名】明細書
【補正対象項目名】０００５
【補正方法】変更
【補正の内容】
【０００５】
本発明は上記の実状に鑑み、遊技興趣の低下を抑止可能な遊技機を提供することを目的とする。
【手続補正５】
【補正対象書類名】明細書
【補正対象項目名】０００６
【補正方法】変更
【補正の内容】
【０００６】
上記課題を解決するために請求項１に係る発明においては、遊技媒体を用いて遊技が行われる遊技機であって、
複数の発光源を有する発光手段と、
該発光手段の前側に配置されて第１の装飾を有するカバー部材と、
前記発光手段と前記カバー部材との間に配置され、前記発光手段から照射される光に応じて装飾される第２の装飾を有するカバー内装飾部材と、
該発光手段を発光制御する発光制御手段と、を備え、
前記発光制御手段は、前記発光手段を発光制御することで、前記カバー部材の前記第１の装飾と、前記カバー内装飾部材の前記第２の装飾と、を組み合わせた立体的な装飾を実現し得ることを特徴とする。
【手続補正６】
【補正対象書類名】明細書
【補正対象項目名】０００７
【補正方法】変更
【補正の内容】
【０００７】
このように、本発明によれば、遊技興趣の低下を抑止可能である。
【手続補正書】
【提出日】平成28年3月14日(2016.3.14)
【手続補正１】
【補正対象書類名】特許請求の範囲
【補正対象項目名】請求項１
【補正方法】変更
【補正の内容】
【請求項１】
横方向及び縦方向を有し、肌対向面及び非肌対向面と、第１ウエスト域と、第２ウエスト域と、前記第１及び第２ウエスト域間に位置するクロッチ域とを有するシャーシと、前記シャーシの前記肌対向面に配置される吸収性パッドとを含む使い捨て着用物品において、
前記シャーシは、少なくとも前記クロッチ域の前記肌対向面において、前記吸収性パッドの輪郭形状を有するパッド配置標識を有し、
前記吸収性パッドは、前記縦方向において対向する第１端縁部と第２端縁部とを有し、
前記パッド配置標識は、前記吸収性パッドの前記第１端縁部を前記第１ウエスト域側に位置させる前記第１パッド配置標識と、前記吸収性パッドの前記第２端縁部を前記第２ウエスト域側に位置させる前記第２パッド配置標識とを有することを特徴とする前記着用物品。
【手続補正２】
【補正対象書類名】特許請求の範囲
【補正対象項目名】請求項６
【補正方法】変更
【補正の内容】
【請求項６】
前記第１及び第２パッド配置標識において、前記第１表示部は前記印刷インクを断続的に塗布して表示されたものであって、前記第２表示部は前記印刷インクを連続的に塗布して表示された請求項５に記載の着用物品。
【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
遊技者の操作に応じて遊技球を発射する発射手段と、
該発射手段によって発射された遊技球が打ち込まれる遊技領域と、
該遊技領域に設けられて、遊技球の入球可能な開放状態と遊技球の入球困難な閉塞状態とに変化可能な可変入球口と、
該可変入球口を前記開放状態に制御する開放条件が成立するか否かを抽選する開放抽選手段と、
前記可変入球口への遊技球の入球を規制するように前記可変入球口の上方に設けられ、その上面に遊技球を転動させて端部から流下させる通路部材と、を備え、
該通路部材の端部から流下する遊技球が前記開放状態に変化している前記可変入球口に入球し得るように前記通路部材と前記可変入球口とを配置する
ことを特徴とする遊技機。
【手続補正２】
【補正対象書類名】明細書
【補正対象項目名】０００５
【補正方法】変更
【補正の内容】
【０００５】
本発明は上記の実状に鑑み、遊技興趣の低下を抑止可能な遊技機を提供することを目的とする。
【手続補正３】
【補正対象書類名】明細書
【補正対象項目名】０００６
【補正方法】変更
【補正の内容】
【０００６】
上記課題を解決するために請求項１に係る発明においては、遊技者の操作に応じて遊技球を発射する発射手段と、
該発射手段によって発射された遊技球が打ち込まれる遊技領域と、
該遊技領域に設けられて、遊技球の入球可能な開放状態と遊技球の入球困難な閉塞状態とに変化可能な可変入球口（本例では大入賞口２１０３が相当するものであるが、遊技球の入球可能な開放状態と遊技球の入球困難な閉塞状態とに変化可能な入賞口であればこれに限定されるものではない）と、
該可変入球口を前記開放状態に制御する開放条件が成立する（大当り遊技状態の当落についての抽選処理の結果として大当りに当選したこと、及び小当り遊技状態（大当り遊技状態と同様に大入賞口２１０３を開閉制御するものであって前後で遊技状態に変化を与えないもの）の当落についての抽選処理の結果として小当りに当選したこと）か否かを抽選する開放抽選手段と、
前記可変入球口への遊技球の入球を規制するように前記可変入球口の上方に設けられ、その上面に遊技球を転動させて端部から流下させる通路部材と、を備え、
該通路部材の端部から流下する遊技球が前記開放状態に変化している前記可変入球口に入球し得るように前記通路部材と前記可変入球口とを配置する
ことを特徴とする。
【手続補正４】
【補正対象書類名】明細書
【補正対象項目名】０００７
【補正方法】変更
【補正の内容】
【０００７】
このように、本発明によれば、遊技興趣の低下を抑止可能である。
【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
遊技盤の前面に形成されて、遊技球が転動する遊技領域と、
該遊技領域に設けられて、遊技球を受け入れ不能な閉鎖状態と遊技球を受入可能な開放状態とに変化し得る入球口と、
該入球口に入球した遊技球を前記遊技盤の後方に誘導する排出通路と、を備え、
所定の当選条件が成立すると遊技利益を付与する遊技機において、
前記入球口と前記排出通路とがユニット化されることにより構成される通路構成部材を備え、
該通路構成部材は、
前記排出通路の一部が前記遊技盤の前面側に位置するように配置されるものであり、
該排出通路の上方側に、前記入球口に入球しなかった遊技球を前記遊技領域の下方に誘導する非入球用通路が形成されてなる
ことを特徴とする遊技機。
【手続補正２】
【補正対象書類名】明細書
【補正対象項目名】０００２
【補正方法】変更
【補正の内容】
【０００２】
パチンコ機等の遊技機では、始動口への遊技球の入賞に基づいて大当りとするか否かの抽選を行い、大当りと抽選された場合に大当り遊技状態に移行制御するようになっている（例えば特許文献１）。
【手続補正３】
【補正対象書類名】明細書
【補正対象項目名】０００４
【補正方法】変更
【補正の内容】
【０００４】
しかしながら、上記遊技機のような従来と同様の構成では、斬新さに欠け、遊技者の興趣を低下させるおそれがあった。
【手続補正４】
【補正対象書類名】明細書
【補正対象項目名】０００５
【補正方法】変更
【補正の内容】
【０００５】
本発明は上記の実状に鑑み、遊技興趣の低下を抑止可能な遊技機を提供することを目的とする。
【手続補正５】
【補正対象書類名】明細書
【補正対象項目名】０００６
【補正方法】変更
【補正の内容】
【０００６】
上記課題を解決するために請求項１に係る発明においては、遊技盤の前面に形成されて、遊技球が転動する遊技領域と、
該遊技領域に設けられて、遊技球を受け入れ不能な閉鎖状態と遊技球を受入可能な開放状態とに変化し得る入球口と、
該入球口に入球した遊技球を前記遊技盤の後方に誘導する排出通路と、を備え、
所定の当選条件が成立すると遊技利益を付与する遊技機において、
前記入球口と前記排出通路とがユニット化されることにより構成される通路構成部材を備え、
該通路構成部材は、
前記排出通路の一部が前記遊技盤の前面側に位置するように配置されるものであり、
該排出通路の上方側に、前記入球口に入球しなかった遊技球を前記遊技領域の下方に誘導する非入球用通路が形成されてなることを特徴とする。
【手続補正６】
【補正対象書類名】明細書
【補正対象項目名】０００７
【補正方法】変更
【補正の内容】
【０００７】
このように、本発明によれば、遊技興趣の低下を抑止可能である。
【手続補正書】
【提出日】平成28年3月14日(2016.3.14)
【手続補正１】
【補正対象書類名】特許請求の範囲
【補正対象項目名】請求項４
【補正方法】変更
【補正の内容】
【請求項４】
前記内側レッグ弾性体には、色彩が付されている請求項３に記載の着用物品。
【手続補正２】
【補正対象書類名】特許請求の範囲
【補正対象項目名】請求項５
【補正方法】変更
【補正の内容】
【請求項５】
前記クロッチパネルは、ベースシートと、前記吸液構造体の前記横方向の両側において前記縦方向へ延びる一対のサイド弾性部とを有し、前記ベースシートは、前記吸液構造体の位置する中央部と、前記中央部の前記横方向の外側に位置する両側部とを有し、前記サイド弾性部は、内方へ折り曲げられた前記ベースシートの前記両側部の外側部位とその内側部位とが接合域を介して固定されたものであって、前記内側バリアカフは前記接合域から前記横方向の内側に延びており、前記外側バリアカフは前記接合域から前記横方向の外側へ延びる請求項１〜４のいずれかに記載の着用物品。
【手続補正３】
【補正対象書類名】明細書
【補正対象項目名】００５４
【補正方法】変更
【補正の内容】
【００５４】
１０    使い捨て着用物品（使い捨ておむつ）
１１    前ウエスト域
１２    後ウエスト域
１３    クロッチ域
１５    吸液構造体
１６    ウエストパネル
１７    クロッチパネル
３４    クロッチ積層シート（ベースシート）
５０    クロッチ内面シート
５１    クロッチ外面シート
５２    サイド弾性部
５２ａ  サイド弾性部の内側縁
５３    内側レッグ弾性体
５４    外側レッグ弾性体
５５    ベースシートの中央部
５６    ベースシートの両側部
５６Ａ  両側部の外側部位
５６Ｂ  両側部の内側部位
６０    内側バリアカフ
６１    外側バリアカフ
７０    吸収性パッド
７０ｃ，７０ｄ  吸収性パッドの両側縁
８０    吸収性コア
８１    第１シート
８２    第２シート
８３    吸液域
８４    非吸液域
【手続補正書】
【提出日】平成28年5月20日(2016.5.20)
【手続補正１】
【補正対象書類名】特許請求の範囲
【補正対象項目名】全文
【補正方法】変更
【補正の内容】
【特許請求の範囲】
【請求項１】
複数の可動体と、
前記複数の可動体が可動しているとき、当該可動している複数の可動体の停止順序によって付与する特典の度合いが異なる押下対応役が少なくとも含まれた当選役の中からいずれの当選役にするかを抽選する当選役抽選手段と、
前記複数の可動体のそれぞれに対応して設けられた複数の停止操作手段と、を備え、
前記当選役抽選手段によって前記当選役を決定し、該決定された当選役に基づいた図柄組合せが所定の表示領域に表示されるゲームが行われる遊技機であって、
前記ゲームにおいて前記複数の停止操作手段の操作が特定の操作順序条件が定められている操作順序とは異なる操作順序で行われると、現在行われている当該ゲームよりも不利な不利遊技状態へ移行させ得る不利遊技提供手段と、を備え、
前記不利遊技提供手段によって前記不利遊技状態へ移行させた該不利遊技状態は、予め定められた所定の解除条件が満たされるまでのゲームにおいて維持されるものであり、
前記不利遊技状態に制御中であっても前記当選役抽選手段によって前記押下対応役が選び出された場合には、当該押下対応役に対応した遊技者に有利な前記複数の可動体の停止順序を教示する不利遊技中指示実行手段と、
前記不利遊技中指示実行手段よって教示された前記複数の可動体の停止順序に従って前記複数の停止操作手段が操作されると、前記不利遊技状態を終了させることを可能とした復帰判断手段と、
前記ゲームが行われる都度に遊技価値が増加するように前記当選役抽選手段による抽選を実行するボーナス状態においては、前記不利遊技提供手段による前記不利遊技状態への移行を不実行とする限定制御手段と、を備え、
前記不利遊技提供手段は、前記異なる操作順序によって前記複数の停止操作手段の操作が行われたときであったとしても前記所定の表示領域に表示される図柄組合せが特定の図柄組合せであった場合には前記不利遊技状態への移行が回避されるように成されている
ことを特徴とする遊技機。
【手続補正２】
【補正対象書類名】明細書
【補正対象項目名】０００６
【補正方法】変更
【補正の内容】
【０００６】
しかしながら、上述した複数種類の設定の出玉性能の差を所謂ＡＴ（当選役をナビする機能）の性能の差によって持たせている遊技機も数多くあり、これらＡＴが搭載された遊技機では、所定の操作を行わないと遊技者に不利な遊技状態に制御されることが多く、前述した所定の操作とは異なる操作が行われると、故意でなくても遊技者が不利益を被る恐れがあり、以後の遊技意欲を減退させてしまうという課題があった。
【手続補正３】
【補正対象書類名】明細書
【補正対象項目名】０００７
【補正方法】変更
【補正の内容】
【０００７】
そこで、本発明は、既述の遊技意欲の減退を抑制し得る遊技機を提供することを目的とする。
【手続補正４】
【補正対象書類名】明細書
【補正対象項目名】０００８
【補正方法】変更
【補正の内容】
【０００８】
前記目的を達成するために、本発明は、複数の可動体と、前記複数の可動体が可動しているとき、当該可動している複数の可動体の停止順序によって付与する特典の度合いが異なる押下対応役が少なくとも含まれた当選役の中からいずれの当選役にするかを抽選する当選役抽選手段と、前記複数の可動体のそれぞれに対応して設けられた複数の停止操作手段と、を備え、前記当選役抽選手段によって前記当選役を決定し、該決定された当選役に基づいた図柄組合せが所定の表示領域に表示されるゲームが行われる遊技機であって、前記ゲームにおいて前記複数の停止操作手段の操作が特定の操作順序条件が定められている操作順序とは異なる操作順序で行われると、現在行われている当該ゲームよりも不利な不利遊技状態へ移行させ得る不利遊技提供手段と、を備え、前記不利遊技提供手段によって前記不利遊技状態へ移行させた該不利遊技状態は、予め定められた所定の解除条件が満たされるまでのゲームにおいて維持されるものであり、前記不利遊技状態に制御中であっても前記当選役抽選手段によって前記押下対応役が選び出された場合には、当該押下対応役に対応した遊技者に有利な前記複数の可動体の停止順序を教示する不利遊技中指示実行手段と、前記不利遊技中指示実行手段よって教示された前記複数の可動体の停止順序に従って前記複数の停止操作手段が操作されると、前記不利遊技状態を終了させることを可能とした復帰判断手段と、前記ゲームが行われる都度に遊技価値が増加するように前記当選役抽選手段による抽選を実行するボーナス状態においては、前記不利遊技提供手段による前記不利遊技状態への移行を不実行とする限定制御手段と、を備え、前記不利遊技提供手段は、前記異なる操作順序によって前記複数の停止操作手段の操作が行われたときであったとしても前記所定の表示領域に表示される図柄組合せが特定の図柄組合せであった場合には前記不利遊技状態への移行が回避されるように成されていることを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
本発明によれば、遊技意欲の減退を抑制し得る遊技機を提供することができる。
【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
超音波トランスデューサー素子の超音波出射面に接続する素子接続面と、
前記素子接続面に対して凸形状である湾曲面と、
前記素子接続面と前記湾曲面との間を貫通するスリットと、
を有することを特徴とする音響整合体。
【請求項２】
請求項１に記載の音響整合体において、前記スリットの内側面は前記超音波出射面に直交する二つの平面を有することを特徴とする音響整合体。
【請求項３】
請求項２に記載の音響整合体において、前記素子接続面に垂直な方向からの平面視で前記超音波トランスデューサー素子が配置される領域の外側の位置において前記スリットに接続する供給口を備えることを特徴とする音響整合体。
【請求項４】
請求項１に記載の音響整合体において、前記湾曲面は相互に平行な母線で形成され、前記スリットの内側面は前記湾曲面の母線に平行な二つの平面を有することを特徴とする音響整合体。
【請求項５】
請求項４に記載の音響整合体において、前記素子接続面に垂直な方向からの平面視で前記超音波トランスデューサー素子が配置される領域の外側の位置において前記スリットに接続する供給口を備えることを特徴とする音響整合体。
【請求項６】
相互に平行な母線で形成される凸形状の湾曲面と、前記湾曲面と対向し前記母線と平行な基部面と、前記母線に交差する二つの平面とを有する音響整合片を複数備える音響整合体であって、
各音響整合片の前記湾曲面は共通の直線上に前記母線を有し、
各音響整合片の前記基部面は共通の平面上に離隔して配置されている
ことを特徴とする音響整合体。
【請求項７】
請求項６に記載の音響整合体において、前記二つの平面は前記母線に直交することを特徴とする音響整合体。
【請求項８】
請求項６または７に記載の音響整合体において、前記複数の音響整合片は前記母線に平行な方向において同じ距離で離れて配置されていることを特徴とする音響整合体。
【請求項９】
請求項８に記載の音響整合体において、前記複数の音響整合片は前記母線の方向に等ピッチで配置されていることを特徴とする音響整合体。
【請求項１０】
請求項６〜９のいずれか１項に記載の音響整合体において、前記基部面に重なる表面を有して前記複数の音響整合片を共通に支持する基層を備えることを特徴とする音響整合体。
【請求項１１】
請求項１０に記載の音響整合体において、前記基層には、前記基層を貫通して前記複数の音響整合片の間の位置に開口する貫通孔が形成されていることを特徴とする音響整合体。
【請求項１２】
請求項６〜１１のいずれか１項に記載の音響整合体において、前記湾曲面の前記母線と直交する方向での両端部のそれぞれの外側に位置し前記音響整合片を相互に連結する枠体を備えることを特徴とする音響整合体。
【請求項１３】
請求項１〜１２のいずれか１項に記載の音響整合体を備えることを特徴とする超音波プローブ。
【請求項１４】
請求項１３に記載の超音波プローブにおいて、音響結合材の吐出手段を備えることを特徴とする超音波プローブ。
【請求項１５】
請求項１〜１２のいずれか１項に記載の音響整合体を備えることを特徴とする超音波画像装置。
【請求項１６】
請求項１５に記載の超音波画像装置において、音響結合材の吐出手段を備えることを特徴とする超音波画像装置。
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
眼鏡レンズを保持するためのレンズチャックユニットと、前記レンズチャックユニットによって保持された前記眼鏡レンズを加工するための加工具を有する加工ユニットと、前記眼鏡レンズと前記加工具との相対距離を調整する調整手段と、玉型データに基づいて前記調節手段を動作させる制御手段と、を備え、前記眼鏡レンズの周縁を加工するための眼鏡レンズ加工装置であって、
前記制御手段は、前記レンズチャックユニットの中心軸から、前記レンズチャックユニットによって保持された加工前の前記眼鏡レンズのコバまでの距離である第１距離を取得するための第１距離取得手段の取得結果に基づいて、前記相対距離を接近させる際の相対速度を制御することを特徴とする眼鏡レンズ加工装置。
【請求項２】
前記制御手段は、前記中心軸と前記加工具との距離が、前記第１距離に到達するまでの間、前記加工ユニットによって前記眼鏡レンズを加工する際の相対速度よりも、前記相対距離を接近させる際の相対速度を速くする請求項１の眼鏡レンズ加工装置。
【請求項３】
前記第１距離取得手段は、前記レンズチャック軸の軸方向に関して、前記玉型データに対応した前記眼鏡レンズの前面位置情報又は後面位置情報の少なくとも一方を前記眼鏡レンズの全周に亘って測定する第１の測定と、
加工前の前記眼鏡レンズのコバ位置と、玉型データから算出される加工後の前記眼鏡レンズのコバ位置との間の動径角の方向における距離を測定する第２の測定と、
を測定可能であって、
第２の測定によって測定された距離に、第２の測定が行われた動径角に関する前記玉型データが示す前記中心軸と加工後の前記眼鏡レンズのコバ位置の間の距離を加えることによって前記第１距離を取得する請求項１または２の眼鏡レンズ加工装置。
【請求項４】
眼鏡レンズを保持するためのレンズチャックユニットと、前記レンズチャックユニットによって保持された前記眼鏡レンズを加工するための加工具を有する加工ユニットと、前記眼鏡レンズと前記加工具との相対距離を調整する調整手段と、玉型データに基づいて前記調節手段を動作させる制御手段と、を備え、前記眼鏡レンズの周縁を加工するための眼鏡レンズ加工装置であって、
前記レンズチャックユニットによって保持された加工前の眼鏡レンズの中心からコバまでの距離である第２距離であって、加工開始時に前記調整手段によって前記相対距離を調整するときの眼鏡レンズの動径角での第２距離を取得する第２距離取得手段を有し、
前記制御手段は、取得された前記第２距離に基づいて、加工開始時に前記相対距離を調整する際の相対速度を変化させるように前記調整手段を制御することを特徴とする眼鏡レンズ加工装置。
【手続補正２】
【補正対象書類名】明細書
【補正対象項目名】０００９
【補正方法】変更
【補正の内容】
【０００９】
眼鏡レンズを保持するためのレンズチャックユニットと、前記レンズチャックユニットによって保持された前記眼鏡レンズを加工するための加工具を有する加工ユニットと、前記眼鏡レンズと前記加工具との相対距離を調整する調整手段と、玉型データに基づいて前記調節手段を動作させる制御手段と、を備え、前記眼鏡レンズの周縁を加工するための眼鏡レンズ加工装置であって、前記制御手段は、前記レンズチャックユニットの中心軸から、前記レンズチャックユニットによって保持された加工前の前記眼鏡レンズのコバまでの距離である第１距離を取得するための第１距離取得手段の取得結果に基づいて、前記相対距離を接近させる際の相対速度を制御することを特徴とする。
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
眼鏡レンズを保持するためのレンズチャックユニットと、前記レンズチャックユニットによって保持された前記眼鏡レンズを加工するための加工具を有する加工ユニットと、前記眼鏡レンズと前記加工具との相対距離を調整する調整手段と、を備え、前記加工ユニットを動作させると共に、加工データに基づいて前記調整手段を動作させることにより前記眼鏡レンズを加工する眼鏡レンズ加工装置であって、
前記レンズチャックユニットによって前記眼鏡レンズが保持された状態において、前記眼鏡レンズが適正に加工されたか否かを検査するための検査ユニットを備えることを特徴とする眼鏡レンズ加工装置。
【請求項２】
前記検査ユニットからの検査結果に基づいて前記加工ユニットに不具合があるか否かを判定する判定手段と、をさらに備えることを特徴とする請求項１の眼鏡レンズ加工装置。
【請求項３】
前記眼鏡レンズ加工装置は、前記加工ユニットを動作させることにより前記眼鏡レンズの周縁を加工可能な眼鏡レンズ加工装置であって、
前記検査ユニットは、前記眼鏡レンズの周縁を加工する際に用いる加工軌跡よりも、レンズチャックユニットのチャック軸から離れた領域において、前記眼鏡レンズの未加工部分の有無を検査し、
前記判定手段は、前記未加工部分が有るという検査結果が得られた場合、前記加工ユニットに不具合があると判定する請求項１〜２のいずれかの眼鏡レンズ加工装置。
【請求項４】
眼鏡レンズ加工装置は、玉型データに対応した眼鏡レンズの前面位置情報及び後面位置情報の少なくとも一方を測定する位置情報測定手段を有し、
前記検査ユニットは、前記位置情報測定手段を兼用し、眼鏡レンズの前記前面位置又は前記後面位置の少なくとも一方に関する測定結果に基づいて、前記眼鏡レンズが適正に加工されたか否かを検査することを特徴とする請求項１〜３のいずれかの眼鏡レンズ加工装置。
【請求項５】
請求項１〜３のいずれかの眼鏡レンズ加工装置は、眼鏡の玉型データを取得するための玉型取得手段と、前記レンズチャックユニットによって保持された前記眼鏡レンズの径である動径長を測定する動径長測定手段と、をさらに備え、
前記検査ユニットは、前記動径長測定手段を兼用し、前記動径長測定手段によって測定された加工後の前記眼鏡レンズ動径長が、前記玉型データに基づいて予測される動径長と異なるときに、前記眼鏡レンズが適正に加工されていないと判定する眼鏡レンズ加工装置。
【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
遊技領域が前面に形成された遊技パネルと、
前記遊技領域を流下する遊技球が通過可能な通過口と、
前記通過口の下流側に設けられ、遊技球を受入可能と受入不能とに切り替える切替部材を有する可変受入口と、
前記通過口への遊技球の通過に基づいて抽選を行う抽選手段と、
前記抽選手段による抽選の結果に基づいて、前記可変受入口に遊技球を受入可能となるように前記切替部材を制御する切替部材制御手段と、
前記通過口を通過した遊技球を前記可変受入口に誘導する誘導通路と、を備え、
前記誘導通路は、前記通過口を通過した遊技球を前後方向に屈曲して流下させる屈曲部を有し、該屈曲部によって前後方向に流下した遊技球を前記可変受入口に誘導することを可能にしたことを特徴とする遊技機。
【手続補正２】
【補正対象書類名】明細書
【補正対象項目名】０００４
【補正方法】変更
【補正の内容】
【０００４】
しかしながら、上記した遊技機では、従来用いられている盤面と比べて変化がなく、遊技興趣の低下を招くおそれがあった。
【手続補正３】
【補正対象書類名】明細書
【補正対象項目名】０００５
【補正方法】変更
【補正の内容】
【０００５】
本発明は、上記した事情に鑑みなされたもので、その目的とするところは、遊技興趣の低下を抑止することが可能な遊技機を提供することにある。
【手続補正４】
【補正対象書類名】明細書
【補正対象項目名】０００６
【補正方法】変更
【補正の内容】
【０００６】
（解決手段１）
遊技領域が前面に形成された遊技パネルと、
前記遊技領域を流下する遊技球が通過可能な通過口と、
前記通過口の下流側に設けられ、遊技球を受入可能と受入不能とに切り替える切替部材を有する可変受入口と、
前記通過口への遊技球の通過に基づいて抽選を行う抽選手段と、
前記抽選手段による抽選の結果に基づいて、前記可変受入口に遊技球を受入可能となるように前記切替部材を制御する切替部材制御手段と、
前記通過口を通過した遊技球を前記可変受入口に誘導する誘導通路と、を備え、
前記誘導通路は、前記通過口を通過した遊技球を前後方向に屈曲して流下させる屈曲部を有し、該屈曲部によって前後方向に流下した遊技球を前記可変受入口に誘導することを可能にしたことを特徴とする遊技機。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
本発明の遊技機においては、遊技興趣の低下を抑止することができる。
【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域が形成された遊技パネルと、
前記遊技パネルに設けられるセンター役物と、
前記センター役物の右側を流下する遊技球のすべてが進入しうる右通路領域部と、有する遊技機であって、
前記右通路領域部は、
前記右通路領域部の入口部分である領域進入部と、
前記右通路領域部の出口部分であって、該右通路領域部の内部を流下した遊技球を前記右通路領域部の下流側に放出する放出口と、
遊技球を受入可能と受入不能とに切り替える切替部材を有する第１可変受入口と、
前記右通路領域部の内部を流下する遊技球の流路であって、前記第１可変受入口に遊技球が受け入れられる可能性のある第１流路と、
前記右通路領域部の内部を流下する遊技球の流路であって、前記第１可変受入口に遊技球が受け入れられる可能性のない第２流路と、を具備しており、
前記第１流路および前記第２流路は、前記第２流路よりも前記第１流路を遊技球が流下する可能性が高くなるように構成されるとともに、前記切替部材の作動によって前記第１流路だけが前記放出口に連通する流路と前記第１可変受入口に連通する流路とに択一的に切り替わるように構成されており、
さらに、前記右通路領域部の下流側には、該右通路領域部から放出された遊技球を受け入れ可能な第２可変受入口を設けたことを特徴とする遊技機。
【手続補正２】
【補正対象書類名】明細書
【補正対象項目名】０００４
【補正方法】変更
【補正の内容】
【０００４】
しかしながら、上記した遊技機では、従来用いられている盤面と比べて変化がなく、遊技興趣の低下を招くおそれがあった。
【手続補正３】
【補正対象書類名】明細書
【補正対象項目名】０００５
【補正方法】変更
【補正の内容】
【０００５】
本発明は、上記した事情に鑑みなされたもので、その目的とするところは、遊技興趣の低下を抑制することが可能な遊技機を提供することにある。
【手続補正４】
【補正対象書類名】明細書
【補正対象項目名】０００６
【補正方法】変更
【補正の内容】
【０００６】
（解決手段１）
遊技球が流下可能な遊技領域が形成された遊技パネルと、
前記遊技パネルに設けられるセンター役物と、
前記センター役物の右側を流下する遊技球のすべてが進入しうる右通路領域部と、有する遊技機であって、
前記右通路領域部は、
前記右通路領域部の入口部分である領域進入部と、
前記右通路領域部の出口部分であって、該右通路領域部の内部を流下した遊技球を前記右通路領域部の下流側に放出する放出口と、
遊技球を受入可能と受入不能とに切り替える切替部材を有する第１可変受入口と、
前記右通路領域部の内部を流下する遊技球の流路であって、前記第１可変受入口に遊技球が受け入れられる可能性のある第１流路と、
前記右通路領域部の内部を流下する遊技球の流路であって、前記第１可変受入口に遊技球が受け入れられる可能性のない第２流路と、を具備しており、
前記第１流路および前記第２流路は、前記第２流路よりも前記第１流路を遊技球が流下する可能性が高くなるように構成されるとともに、前記切替部材の作動によって前記第１流路だけが前記放出口に連通する流路と前記第１可変受入口に連通する流路とに択一的に切り替わるように構成されており、
さらに、前記右通路領域部の下流側には、該右通路領域部から放出された遊技球を受け入れ可能な第２可変受入口を設けたことを特徴とする遊技機。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
本発明の遊技機においては、遊技興趣の低下を抑制することができる。
【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域が形成された遊技パネルと、
前記遊技パネルに設けられるセンター役物と、
前記センター役物の周りの所定部位に設けられ、前記遊技領域を流下する遊技球が所定の進入部から進入可能な特定通路部と、有する遊技機であって、
前記特定通路部は、
前記特定通路部の内部を流下する遊技球の流路である第１流路と、
前記特定通路部の内部を流下する遊技球の流路であって、前記第１流路と左右方向に離れて設けられる第２流路と、
前記第１流路と前記第２流路との間に設けられる発光部と、
前記第１流路、前記第２流路および前記発光部を覆うように前記特定通路部の前面側に設けられる装飾カバー部と、を具備しており、
前記装飾カバー部は、前記第１流路を流下する遊技球を視認可能な第１視認部位と、前記第２流路を流下する遊技球を視認可能な第２視認部位と、前記発光部により発光装飾される発光装飾部位と、を有することを特徴とする遊技機。
【手続補正２】
【補正対象書類名】明細書
【補正対象項目名】０００４
【補正方法】変更
【補正の内容】
【０００４】
しかしながら、上記した遊技機では、従来用いられている盤面と比べて変化がなく、遊技興趣の低下を招くおそれがあった。
【手続補正３】
【補正対象書類名】明細書
【補正対象項目名】０００５
【補正方法】変更
【補正の内容】
【０００５】
本発明は、上記した事情に鑑みなされたもので、その目的とするところは、遊技興趣の低下を抑制することが可能な遊技機を提供することにある。
【手続補正４】
【補正対象書類名】明細書
【補正対象項目名】０００６
【補正方法】変更
【補正の内容】
【０００６】
（解決手段１）
遊技球が流下可能な遊技領域が形成された遊技パネルと、
前記遊技パネルに設けられるセンター役物と、
前記センター役物の周りの所定部位に設けられ、前記遊技領域を流下する遊技球が所定の進入部から進入可能な特定通路部と、有する遊技機であって、
前記特定通路部は、
前記特定通路部の内部を流下する遊技球の流路である第１流路と、
前記特定通路部の内部を流下する遊技球の流路であって、前記第１流路と左右方向に離れて設けられる第２流路と、
前記第１流路と前記第２流路との間に設けられる発光部と、
前記第１流路、前記第２流路および前記発光部を覆うように前記特定通路部の前面側に設けられる装飾カバー部と、を具備しており、
前記装飾カバー部は、前記第１流路を流下する遊技球を視認可能な第１視認部位と、前記第２流路を流下する遊技球を視認可能な第２視認部位と、前記発光部により発光装飾される発光装飾部位と、を有することを特徴とする遊技機。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
本発明の遊技機においては、遊技興趣の低下を抑制することができる。